(57)【特許請求の範囲】
【請求項１】
床面に設置された展示台を有し、該展示台の上方に形成された展示空間の周囲が透明な側面パネルにより囲まれ、かつ該側面パネルで囲まれた展示空間の上方が天井パネルにより覆われ、前記展示台と前記側面パネルと前記天井パネルとでケース本体が構成される展示ケースにおいて、
前記展示台内には、前記展示空間と通気されて該展示空間の湿度を調節する調湿手段を収納する第１収納部と、前記ケース本体外の外部空間と通気されて電気機器を収納する第２収納部とが、互いに水平方向に並設されていることを特徴とする展示ケース。
【請求項２】
前記展示台は、前記第１及び第２収納部が形成される基台と、該基台の上部に設けられて前記展示空間の床となる床部材と、を有し、該床部材は、前記基台から離間可能となっており、かつ前記基台には、前記第２収納部の上面を開閉可能に閉塞する蓋部材が設けられることを特徴とする請求項１に記載の展示ケース。
【請求項３】
前記展示台は、平面視で略矩形状をなす矩形枠部により形成される基台を有し、該基台には、該矩形枠部内の空間を水平方向に仕切る仕切部材が設けられ、該仕切られた空間のうち、少なくとも１つの空間を前記第１収納部として形成するとともに、他の空間を前記第２収納部として形成し、前記第１収納部の下面側が板状部材で閉塞されることを特徴とする請求項１または２に記載の展示ケース。
【請求項４】
前記ケース本体の側面に開閉可能な扉パネルが設けられ、該扉パネルが前記展示台に設けられる移動支持手段により移動可能に支持されており、該移動支持手段は、前記扉パネルを水平方向にスライド移動させるスライド部材を有しており、該スライド部材が前記仕切部材内に設けられることを特徴とする請求項３に記載の展示ケース。
【発明の詳細な説明】
【技術分野】
【０００１】
本発明は、博物館や美術館等に設置される展示ケースに関する。
【背景技術】
【０００２】
従来の展示ケースは、密閉された展示空間を適度な湿度に保つための調湿剤を配置する収納空間を基台部に設けている。このような展示ケースにあっては、展示空間の床部材に設けられたメンテナンス用パネルを下方側に開放することで、調湿剤の出し入れができるようになっている（例えば、特許文献１参照）。
【先行技術文献】
【特許文献】
【０００３】
【特許文献１】特開平８−２０５９６９号公報
【発明の概要】
【発明が解決しようとする課題】
【０００４】
特許文献１に記載の展示ケースにあっては、メンテナンス用パネルを下方側に開放するようになっているため、基台部の上下寸法が大きな展示ケースにしか適用できない。また、ランプケースや基台部の上下寸法を小として、ランプケースや基台部の圧迫感を無くすとともに、展示空間を大きく確保したいという使用者の要望がある。しかしながら、ランプケース（天井パネル）の上下寸法を小とするために、ランプケース内の蛍光灯の電源アダプタやその他の電気機器などを、基台部（展示台）内に収納しようとすると、電気機器の発熱により展示空間が熱くなり展示品を傷め、調湿剤（調湿手段）が発する湿気により電気機器が故障する虞があるばかりか、電気機器の発熱により調湿剤の蒸発が促進されてしまい、展示空間を適度な湿度に保つことができなくなるという問題がある。
【０００５】
本発明は、このような問題点に着目してなされたもので、電気機器及び調湿手段を展示台に収納することができ、かつ電気機器の発熱の影響を調湿手段が受けることなく、展示空間を適度な湿度に保つことができるとともに、展示空間が電気機器の発熱の影響を受けないため展示品を傷めないようにできる展示ケースを提供することを目的とする。
【課題を解決するための手段】
【０００６】
前記課題を解決するために、本発明の展示ケースは、
床面に設置された展示台を有し、該展示台の上方に形成された展示空間の周囲が透明な側面パネルにより囲まれ、かつ該側面パネルで囲まれた展示空間の上方が天井パネルにより覆われ、前記展示台と前記側面パネルと前記天井パネルとでケース本体が構成される展示ケースにおいて、
前記展示台内には、前記展示空間と通気されて該展示空間の湿度を調節する調湿手段を収納する第１収納部と、前記ケース本体外の外部空間と通気されて電気機器を収納する第２収納部とが、互いに水平方向に並設されていることを特徴としている。
この特徴によれば、電気機器及び調湿手段を展示台に収納することができ、この電気機器の発熱を第２収納部から外部空間に排熱することができ、電気機器の発熱の影響を第１収納部に配置される調湿手段が受けることなくなり、かつ第１収納部が展示空間と通気されることにより調湿手段により展示空間を適度な湿度に保つことができるとともに、展示空間が電気機器の発熱の影響を受けないため展示品を傷めないようにできる。また、電気機器を展示台に収納することで、天井パネルの上下寸法を小とすることができ、かつ電気機器の発熱の影響を調湿手段が受けないため、電気機器及び調湿手段を近接して展示台内に収納することが可能になり、展示台の上下寸法を小とすることができ、天井パネルや展示台の圧迫感を無くすとともに、展示空間を大きく確保することができる。
【０００８】
本発明の展示ケースは、
前記展示台は、前記第１及び第２収納部が形成される基台と、該基台の上部に設けられて前記展示空間の床となる床部材と、を有し、該床部材は、前記基台から離間可能となっており、かつ前記基台には、前記第２収納部の上面を開閉可能に閉塞する蓋部材が設けられることを特徴としている。
この特徴によれば、第１及び第２収納部の両方に対して、展示空間側からアクセスすることが可能になり、展示台の上下寸法を小さくしても、メンテナンス作業を容易に行うことができる。
【０００９】
本発明の展示ケースは、
前記展示台は、平面視で略矩形状をなす矩形枠部により形成される基台を有し、該基台には、該矩形枠部内の空間を水平方向に仕切る仕切部材が設けられ、該仕切られた空間のうち、少なくとも１つの空間を前記第１収納部として形成するとともに、他の空間を前記第２収納部として形成し、前記第１収納部の下面側が板状部材で閉塞されることを特徴としている。
この特徴によれば、仕切部材により矩形枠部内の空間を仕切って第１及び第２収納部を形成して、矩形枠部の上下寸法内に第１及び第２収納部を納めることが可能となり、展示台の上下寸法を小さく形成することができ、かつ第１収納部の下面側を閉塞する板状部材によって、調湿手段により調湿された空気が第１収納部の下方側に逃げないようになる。
【００１０】
本発明の展示ケースは、
前記ケース本体の側面に開閉可能な扉パネルが設けられ、該扉パネルが前記展示台に設けられる移動支持手段により移動可能に支持されており、該移動支持手段は、前記扉パネルを水平方向にスライド移動させるスライド部材を有しており、該スライド部材が前記仕切部材内に設けられることを特徴としている。
この特徴によれば、扉パネルを移動可能に支持する移動支持手段のスライド部材を、展示台の仕切部材を利用して設けることができ、展示台の上下寸法を小さくすることができる。
【図面の簡単な説明】
【００１１】
【図１】実施例における展示ケースを示す斜視図である。
【図２】扉パネルを開放した状態の展示ケースを示す斜視図である。
【図３】展示ケースを示す平面図である。
【図４】展示ケースの上部を示す縦断側面図である。
【図５】発光パネルユニットを示す縦断側面図である。
【図６】展示ケースの下部を示す縦断側面図である。
【図７】展示ケースの下部を示す部分拡大縦断側面図であり、図７（ａ）は扉パネルが閉鎖した状態を示し、図７（ｂ）は扉パネルを引き出した状態を示す。
【図８】展示台を示す横断平面図である。
【図９】図８における展示台を示すＡ−Ａ縦断背面図である。
【図１０】床部材及び蓋部材を開放した状態を示す斜視図である。
【発明を実施するための形態】
【００１２】
本発明に係る展示ケースを実施するための形態を実施例に基づいて以下に説明する。
【実施例】
【００１３】
実施例に係る展示ケースにつき、図１から図１０を参照して説明する。以下、図３から図７の紙面左側を展示ケースの背面側（後方側）とし、図８の紙面下側を展示ケースの背面側（後方側）として説明する。図１の符号１は、本発明の適用された展示ケースである。この展示ケース１は、主に美術館や博物館等に設置され、展示ケース１内に配置された展示品（図示略）を、鑑賞者が展示ケース１の周囲から鑑賞できるようになっている。
【００１４】
図１に示すように、展示ケース１は、床面に設置されて平面視で略四角形状をなす展示台２を有し、展示台２の四方の各側面の外周を取り囲むように、床面から立設されたガラス等の材質で形成された透明なガラスパネルで構成される側面パネル３が配置されている。この側面パネル３によって展示台２の上方に展示空間４が形成されている。そして、展示品（図示略）を展示台２の上面に配置して収容するようになっている。なお、これら複数枚の側面パネル３のうち背面側に配置されるパネルは、開閉可能な扉パネル５となっている（図２参照）。
【００１５】
側面パネル３で囲まれた展示空間４の上方は、ガラスパネルで構成された透明な天井パネル６により覆われている。なお、本実施例では、展示台２と側面パネル３と天井パネル６とによりケース本体が構成されている。そして、ケース本体の背面側の開口が扉パネル５により開閉されるようになっている。
【００１６】
図３に示すように、天井パネル６の上面側の中央部には、略パネル状をなす照明手段としての発光パネルユニット７が配置されている。なお、天井パネル６は、平面視で略四角形状をなすとともに、発光パネルユニット７も平面視で略四角形状をなしている。
【００１７】
天井パネル６の上面における発光パネルユニット７の周辺部には、複数の板状の枠部材８が略枠状に配置された枠部が構成されている。この枠部材８は、天井パネル６の四辺における正面側及び左右側の縁部に設けられている。天井パネル６の背面側の縁部には、後述するように、扉パネル５の上端縁に取り付けられたカバー部材９が配置される。カバー部材９及び枠部材８で囲まれた部位は、展示空間４に向かって光を照射するための略パネル形状をなす発光パネルユニット７が配置される配置部１０となっている。
【００１８】
更に、配置部１０に配置された発光パネルユニット７が枠部材８によって囲まれて保護されるようになり、室内の天井に設置される部材等が展示ケース１の上部に接触しても、枠部材８に接触させることで、発光パネルユニット７に対する接触が防止される。また、発光パネルユニット７が枠部材８によって隠蔽されて、体裁のよい展示ケース１を提供することができる。
【００１９】
図４に示すように、天井パネル６は、側面パネル３で囲まれた展示空間４の上方を覆う透明なガラスパネル１１を有している。なお、前述した枠部材８もガラス製（同材質）の板状部材となっている。また、枠部材８が展示空間４の上方を覆うガラスパネル１１と同じガラス製であるため、展示空間４の上方を覆うガラスパネル１１と枠部材との熱膨張率を同一にすることができ、発光パネルユニット７の放熱や気温変化による天井パネル６の歪みを防止できる。
【００２０】
また、発光パネルユニット７は、その下面側がガラスパネル１１の上面に接着されている。ガラスパネル１１の背面側には、扉パネル５を開閉させる際に用いる開閉レール１２及び案内レール１３が形成された略板状をなすレール部材１４が取り付けられている。
【００２１】
なお、枠部材８は着色されて非透光性を有する色ガラスとなっている。そして、発光パネルユニット７と枠部材８の間には、目隠し用の膜部材１６が取り付けられている。このように天井パネル６は、このレール部材１４と枠部材８と膜部材１６により発光パネルユニット７の配置部１０以外の部位が非透光性を有するようになっている。また、側面パネル３及び扉パネル５における展示台２を囲む部位には、塗装膜５３が設けられ、この塗装膜５３により展示台２の側部が隠蔽されている（図６参照）。
【００２２】
なお、展示ケース１は、一般的な鑑賞者の身長よりも大きく形成されており、鑑賞者が天井パネルを下方から見上げた際に、前述した配線１７等はレール部材１４や枠部材８などにより鑑賞者から見えないようになっている。また、展示ケース１の上方にある室内の天井の照明装置等から光が照射された際に、展示ケース１の上方から展示ケース１内に入り込む光が遮られることとなる。そのため、発光パネルユニット７から発せられる光のみで展示品（図示略）を照らすことができ、展示ケース１による照明効果を高められる。
【００２３】
図５に示すように、発光パネルユニット７は、アクリル樹脂等の材質で形成された導光板１８を有している。この導光板１８は、その上面の全面に渡って微細な凹凸が形成されている。この微細な凹凸は、シルク印刷加工やＶ溝カット加工や成形加工やレーザー加工等の所定の加工方法により形成されている。
【００２４】
また、導光板１８の上面には、光を反射させる反射シート１９が設けられている。導光板１８の下面には、光を拡散させる拡散シート２０が設けられている。平面視で略四角形状をなす導光板１８の前後の縁辺側には、複数のＬＥＤ２１を有する照明基板２２が設けられている。この照明基板２２は、導光板１８の端面に沿って延設されており、複数のＬＥＤ２１は、照明基板２２の長手方向に沿って並設されており、このＬＥＤ２１は導光板１８の端面側に向いている。
【００２５】
図３及び図５に示すように、導光板１８の四辺には、断面視で略コ字形状をなすフレーム部材２３に装着されている。前述した照明基板２２はフレーム部材２３に装着されている。発光パネルユニット７において、フレーム部材２３で囲まれた上面側は、矩形板材２４により閉塞されている。
【００２６】
図５に示すように、発光パネルユニット７は、複数のＬＥＤ２１が導光板１８の端面側にのみ配置されており、従来の一般的な照明装置のように、照射面全体にＬＥＤを設けずに済む。また、この発光パネルユニット７の上下幅を小さくして薄型に形成し、かつ軽量化することができるとともに、ＬＥＤ２１の使用個数を減らして製造コストを低減させることができる。また、薄型の発光パネルユニット７を用いることにより、圧迫感が少ない展示ケース１とすることができる。
【００２７】
照明基板２２のＬＥＤ２１を点灯させると、ＬＥＤ２１より発せられた光は、導光板１８の端面に向かって入射される。この入射された光は、導光板１８内部で広がり、導光板１８の上面に達した光は、導光板１８の上面に形成された微細な凹凸で拡散されつつ、反射シート１９により反射され、導光板１８の下面側に向かうようになっている。
【００２８】
導光板１８の下面に達した光は、拡散シート２０により拡散され、導光板１８の下面側全体から均一に照射されるようになっている。そして、ＬＥＤ２１から発せられる光は直接展示品（図示略）に照射されるのではなく導光板１８を介して照射されるため、紫外線や赤外線を低減させた光を展示品に照射させることができ、長時間照射しても、紫外線によって展示品が色褪せたり、赤外線による熱で展示品を傷めたりせずに済むようになる。
【００２９】
発光パネルユニット７は、天井パネル６よりも小さく形成されており、発光パネルユニット７から照射される光は、発光パネルユニット７から外側斜め下方向に向かって広がるようになっており、この発光パネルユニット７の大きさは、照射される光が展示台２の上面にまんべんなく照射される程度の大きさに形成されている。
【００３０】
そのため、展示台２よりも外方側に光が照射されないように、発光パネルユニット７による照射領域を展示台２の上面に限定することにより発光パネルユニット７の消費電力を低減できる。また、展示ケース１の外周に居る鑑賞者の目に光が直接入り込まないようにすることができる。
【００３１】
また、発光パネルユニット７は、天井パネル６の上方に配置されているため、別途、発光パネルユニット７を支持するための部材を用いることなく、天井パネル６を利用して導光板ユニットを支持することができる。また、ＬＥＤ２１から発生する熱によって暖められた空気が展示空間４内に入り込まないようになり、展示空間４内の温度上昇を防止することができる。そして、発光パネルユニット７が上方に露呈されているため、発光パネルユニット７の放熱性を向上させることができる。
【００３２】
なお、従来の一般的な照明装置のように、照射面全体にＬＥＤを配置して照射されるようにすると、ＬＥＤは点発光するようになっているため、その点発光が目立ってしまい、照射面全体にＬＥＤの光のムラができてしまうようになっている。しかしながら本実施例の発光パネルユニット７では、ＬＥＤ２１から照射された光が、一旦、導光板１８に入射した後、拡散シート２０を介して発光パネルユニット７の下面側から照射されるようになっており、その照射面全体がムラなく一様に発光するようになっている。
【００３３】
図３に示すように、ＬＥＤ２１が配置される照明基板２２から配線１７が発光パネルユニット７の外部に延び、この配線１７は、発光パネルユニット７の角部から天井パネル６の角部に向かって延びている。そして、この配線１７は、側面パネル３同士の間の角部に沿って下方側に延設されており（図３の部分拡大図参照）、展示台２内部に配置されたＡＣアダプタや制御回路である電気機器１５に接続されている（図８参照）。なお、この電気機器１５は、室内に設けられたコンセント等から電力を供給されるようになっている。
【００３４】
なお、本実施例のような発光パネルユニット７が天井パネル６に設置されている展示ケース１は、行灯型四面展示ケース１と称されている。また、本実施例の展示ケース１の天井パネル６をガラスパネル１１のみで構成すると、行灯型五面展示ケースとすることができる。即ち本実施例の行灯型四面展示ケース１は、その製造工程の途中の段階まで行灯型五面展示ケースの製造工程と同一になっている。
【００３５】
このように本実施例の行灯型四面展示ケース１は、行灯型五面展示ケースの製造工程を利用して、その行灯型五面展示ケースの天井パネル６に発光パネルユニット７を配置して行灯型四面展示ケース１を製造することができるようになり、行灯型五面展示ケースと行灯型四面展示ケース１とを同じ製造工程で製造することができ、展示ケース１の生産効率を向上させることができる。更に、発光パネルユニット７は、薄型に形成できるため、行灯型四面展示ケース１では、その天井パネル６の圧迫感がなくなり、行灯型五面展示ケースと行灯型四面展示ケース１との外観をほぼ同じように形成することができる。
【００３６】
図８に示すように、展示台２は、平面視で略矩形状をなす矩形枠部４１により形成される基台４２と、この基台４２の上部に設けられて展示空間４の床となる床部材２６と、を有している。そして、この矩形枠部４１は、背面側に配置される鉄骨フレームで構成される背面フレーム部材４３と、基台４２の正面側及び左右側面側の枠を構成する固定板２７と、からなる。この固定板２７に側面パネル３の下部が接着剤等により取り付けられる。
【００３７】
また、基台４２には、矩形枠部４１内の空間を水平方向に仕切る２本の仕切部材４４が設けられている。この仕切部材４４は、背面フレーム部材４３と同様に、鉄骨フレームにより構成されており、仕切部材４４は、背面フレーム部材４３から正面側の固定板２７まで延設されている。
【００３８】
図６に示すように、展示台２の床部材２６の上面に展示品（図示略）を載置されるようになっている。さらに、展示台２には、アジャスター２５やキャスター４５が取り付けられており、展示ケース１は、アジャスター２５やキャスター４５によって室内の任意の場所に移動して設置することができる。
【００３９】
また、図８に示すように、矩形枠部４１の背面フレーム部材４３及びこの背面フレーム部材４３から延びる仕切部材４４には、扉パネル５を開閉移動可能に支持する扉開閉装置２８（移動支持手段）が設けられている。この扉開閉装置２８は、矩形枠部４１の背面フレーム部材４３に取り付けられたブッシュ部材２９（スライド部材）と、このブッシュ部材２９により前後方向にスライド移動されるシャフト部材３０（スライド部材）と、を有している。本実施例では、左右方向に等間隔に並ぶ４つのブッシュ部材２９及びシャフト部材３０が設けられている。なお、中央の２つのブッシュ部材２９及びシャフト部材３０は、仕切部材４４内に挿設されている。
【００４０】
そして、シャフト部材３０の端部に取り付けられたレール基部３１には、左右方向にスライド移動されるスライドレール装置３２が設けられている。更に、スライドレール装置３２には、左右方向にスライド移動される移動板３３が設けられ、この移動板３３に扉パネル５の下部が接着剤等により取り付けられる。
【００４１】
図２に示すように、扉パネル５を開放する際には、作業者が扉パネル５の上端縁のカバー部材９を掴んで、扉パネル５を数センチほど背面側に引き出す。そして、扉パネル５を側方にスライド移動させて開放するようになっている。また、図１に示すように、扉パネル５を閉鎖する際には、開放された扉パネル５をケース本体の背面までスライド移動させ、扉パネル５を正面側に押し込むことで閉鎖されるようになっている。
【００４２】
図４に示すように、天井パネル６の上面のレール部材１４には、扉パネル５の閉鎖状態を維持するためのボールキャッチ３４が設けられている。このボールキャッチ３４は、天井パネル６の上面の左右２箇所に設けられている。そして、扉パネル５のカバー部材９の下面には、ボールキャッチ３４に係合する被係合部３５が設けられている。なお、天井パネル６の背面側の縁部には、展示空間４の密閉性を高めるためのパッキン部材３６が設けられているとともに、側面パネル３の背面側の縁部にも、同様のパッキン部材３７が設けられている。
【００４３】
また、天井パネル６の上面におけるカバー部材９の配置位置に対応する部位には、前述した開閉レール１２及び案内レール１３が形成されたレール部材１４が取り付けられている。そして、カバー部材９の下面には、レール部材１４の開閉レール１２及び案内レール１３に案内される被案内部３８が設けられている。この被案内部３８が開閉レール１２に案内されることで、扉パネル５の左右方向の移動が案内される。そして、被案内部３８が案内レール１３に案内されることで、扉パネル５の前後方向の移動が案内される。
【００４４】
更に、図７（ａ）に示すように、矩形枠部４１の背面側にも、扉パネル５の閉鎖状態を維持するためのボールキャッチ３９が設けられている。そして、扉パネル５を支持するレール基部３１には、ボールキャッチ３９に係合する被係合部４０が設けられている。扉パネル５を閉鎖した際には、扉パネル５側に設けられた被係合部３５，４０が、天井パネル６及び展示台２に設けられたボールキャッチ３４，３９に係合されることで、扉パネル５の閉鎖状態を維持するようになっている。そして、作業者が扉パネル５を背面側に引き出すと、扉パネル５の被係合部３５，４０がボールキャッチ３４，３９から外れるようになっている（図７（ｂ）参照）。
【００４５】
前述したように、基台４２が有する矩形枠部４１の内部空間は、２本の仕切部材４４により仕切られて、３つの空間（収納空間）が形成されている。図８に示すように、これら３つの空間うち、中央の空間は、展示空間４の湿度を調節する調湿剤４６（調湿手段）を収納する第１収納部４７となっているとともに、左右の２つの空間は、発光パネルユニット７を制御するＡＣアダプタや制御回路である電気機器１５などを収納する第２収納部４８となっている。そして、これら第１及び第２収納部４７，４８は、互いに水平方向に並設されている。
【００４６】
図９に示すように、第１収納部４７の下面側は、板状部材４９で閉塞されるとともに、第１収納部４７の上面側は、展示空間４側に開放されている。なお、前述したように、基台４２の上部には、床部材２６が設けられている。この床部材２６の下面には、スペーサ部材５０が取り付けられており、このスペーサ部材５０によって、床部材２６と基台４２の上面との間に、所定幅の間隙部５１（第１通気手段）が形成される。この間隙部５１を介して、第１収納部４７の空気が通気され、第１収納部４７において調湿剤４６により調湿された空気が、展示空間４に通気されるようになっている。
【００４７】
また、第２収納部の上面側には、この上面を開閉可能に閉塞する蓋部材５３が設けられている。そして、第２収納部４８の下面側には、電気機器１５を載置する載置板５４が設けられるとともに、この第２収納部４８の一部は、下方側に開口されて下方開口部５５（第２通気手段）が形成される。この下方開口部５５を介して、第２収納部４８の空気が通気され、第２収納部４８に配置される電気機器１５の排熱が、展示ケース１の外部空間に放出されるようになっている。
【００４８】
図１０に示すように、調湿剤４６及び電気機器１５のメンテナンス作業を行う際には、先ず扉パネル５を開放し、展示空間４の床部材２６を揺動させて開放させるようになっている。このように床部材２６は、基台４２から離間可能となっている。なお、基台４２には、開放された床部材２６を保持する保持棒５６が備えられている。このように、床部材２６を開放すると、調湿剤４６の交換作業などを行うことができる。さらに、第２収納部４８の上面を閉塞する蓋部材５３を開放すると、電気機器１５にアクセスすることができる。
【００４９】
以上説明したように、本実施例の展示ケース１においては、展示台２は、展示空間４と通気されて展示空間４の湿度を調節する調湿剤４６を収納する第１収納部４７と、展示ケース１の外部空間と通気されて電気機器１５を収納する第２収納部４８と、を有することで、電気機器１５及び調湿剤４６を展示台２に収納することができ、この電気機器１５の発熱を第２収納部４８から外部空間に排熱することができ、電気機器１５の発熱の影響を第１収納部４７に配置される調湿剤４６が受けることなくなり、かつ第１収納部４７が展示空間４と通気されることにより調湿剤４６により展示空間４を適度な湿度に保つことができるとともに、展示空間４が電気機器１５の発熱の影響を受けないため展示品を傷めないようにできる。また、電気機器１５を展示台２に収納することで、天井パネル６の上下寸法を小とすることができ、かつ電気機器１５の発熱の影響を調湿剤４６が受けないため、電気機器１５及び調湿剤４６を近接して展示台２内に収納することが可能になり、展示台２の上下寸法を小とすることができ、天井パネル６や展示台２の圧迫感を無くすとともに、展示空間４を大きく確保することができる。
【００５０】
また、第１及び第２収納部４７，４８は、互いに水平方向に並設されることで、展示台２の上下寸法を小さくして展示空間４を大きく確保することができ、かつ電気機器１５等の重量のある部材を展示台２に収納した際に、展示ケース１の重心位置が低くなり、展示ケース１を安定的に設置できるようになる。
【００５１】
また、展示台２は、第１及び第２収納部４７，４８が形成される基台４２と、基台４２の上部に設けられて展示空間４の床となる床部材２６と、を有し、床部材２６は、基台４２から離間可能となっており、かつ基台４２には、第２収納部４８の上面を開閉可能に閉塞する蓋部材５３が設けられることで、第１及び第２収納部４７，４８の両方に対して、展示空間４側からアクセスすることが可能になり、展示台２の上下寸法を小さくしても、メンテナンス作業を容易に行うことができる。
【００５２】
また、展示台２は、平面視で略矩形状をなす矩形枠部４１により形成される基台４２を有し、基台４２には、矩形枠部４１内の空間を水平方向に仕切る仕切部材４４が設けられ、仕切られた空間のうち、少なくとも１つの空間を第１収納部４７として形成するとともに、他の空間を第２収納部４８として形成し、第１収納部４７の下面側が板状部材４９で閉塞されることで、仕切部材４４により矩形枠部４１内の空間を仕切って第１及び第２収納部４７，４８を形成して、矩形枠部４１の上下寸法内に第１及び第２収納部４７，４８を納めることが可能となり、展示台２の上下寸法を小さく形成することができ、かつ第１収納部４７の下面側を閉塞する板状部材４９によって、調湿剤４６より調湿された空気が第１収納部４７の下方側に逃げないようになる。
【００５３】
また、展示ケース１の側面に開閉可能な扉パネル５が設けられ、扉パネル５が展示台２に設けられる扉開閉装置２８により移動可能に支持されており、扉開閉装置２８は、扉パネル５を水平方向にスライド移動させるブッシュ部材２９及びシャフト部材３０を有しており、ブッシュ部材２９及びシャフト部材３０が仕切部材４４内に設けられることで、扉パネル５を移動可能に支持する扉開閉装置２８のブッシュ部材２９及びシャフト部材３０を、展示台２の仕切部材４４を利用して設けることができ、展示台２の上下寸法を小さくすることができる。
【００５４】
以上、本発明の実施例を図面により説明してきたが、具体的な構成はこれら実施例に限られるものではなく、本発明の要旨を逸脱しない範囲における変更や追加があっても本発明に含まれる。
【００５５】
例えば、前記実施例では、発光パネルユニット７の照明手段としてＬＥＤ２１が用いられているが、本発明はこれに限ることなく、照明手段として冷陰極発光体（Cold Cathode Fluorescent Lamp：略称ＣＣＦＬ）を用いるようにしてもよい。
【００５６】
また、前記実施例では、導光板１８の前後の二辺側にＬＥＤ２１を有する２つの照明基板２２が設けられていたが、１つの照明基板２２を設けるようにして導光板１８の内部に向かってＬＥＤ２１の光を照射させるようにしてもよいし、導光板１８の四辺全てに照明基板２２を設けるようにして、導光板１８の内部に向かってＬＥＤ２１の光を照射させるようにしてもよい。
【００５７】
また、前記実施例では、扉パネル５を開放させる際に、扉パネル５を背面側に引き出した後に側方にスライド移動させる構成となっているが、扉パネル５の開放形態は、これに限ることなく、扉パネル５を背面側のみに大きく引き出して開放させるようにしてもよいし、扉パネル５を揺動移動により開放させるようにしてもよい。
【００５８】
また、前記実施例では、電気機器１５として発光パネルユニット７を制御するＡＣアダプタや制御回路を例示しているが、電気機器１５はこれに限らず、扉パネル５を施錠する電気錠の制御回路等であってもよい。
【符号の説明】
【００５９】
１                展示ケース
２                展示台
３                側面パネル
４                展示空間
５                扉パネル
６                天井パネル
１５              電気機器
２６              床部材
２８              扉開閉装置（移動支持手段）
２９              ブッシュ部材（スライド部材）
３０              シャフト部材（スライド部材）
４１              矩形枠部
４２              基台
４４              仕切部材
４６              調湿剤（調湿手段）
４７              第１収納部
４８              第２収納部
４９              板状部材
５２              蓋部材
【図１】
0005675421.tif 000002
【図２】
0005675421.tif 000003
【図３】
0005675421.tif 000004
【図４】
0005675421.tif 000005
【図５】
0005675421.tif 000006
【図６】
0005675421.tif 000007
【図７】
0005675421.tif 000008
【図８】
0005675421.tif 000009
【図９】
0005675421.tif 000010
【図１０】
0005675421.tif 000011